(57)【要約】【課題】撮像が停止されたことを相手に簡単な構成で容易に通知する。【解決手段】制御部５０は、撮像停止部１６からの撮像検出信号ＰＤに基づき撮像が停止されているか否かを検出する。撮像が停止されていることを検出したとき、撮像が停止されていることを示すインジケータ画像の画像情報Ｍindをメモリ部５２から読み出して映像信号ＤＶindに変換して映像切換部２２に供給する。更に、映像切換部２２の動作を制御して、撮像部１１からの映像信号ＤＶcamに換えて映像信号ＤＶindを選択することで、インジケータ画像を送信して、相手の表示部１２の画面上に、インジケータ画像を表示させる。【選択図】        図２
2007013693.tif 000002
【特許請求の範囲】
【請求項１】
撮像部で撮像を行うことにより得た映像信号を通信部によって相手に送信するとともに、前記通信部で受信した前記相手からの映像信号に基づき表示部で画像表示を行う双方向コミュニケーション装置において、
前記撮像を停止させる撮像停止部と、
前記撮像が停止されていることを示すインジケータ画像の画像情報を記憶したインジケータ画像記憶部と、
前記撮像部で撮像を行うことにより得た映像信号と前記インジケータ画像記憶部に記憶されている画像情報に基づいた映像信号を選択的に切り換えて、前記通信部に供給する映像切換部と、
前記撮像停止部によって前記撮像が停止されているときに、前記インジケータ画像記憶部に記憶されている画像情報に基づいた映像信号を前記通信部に供給するように前記映像切換部を制御する制御部とを設けた
ことを特徴とする双方向コミュニケーション装置。
【請求項２】
前記インジケータ画像記憶部と前記映像切換部と前記制御部を、前記撮像部に設け、
前記撮像停止部によって前記撮像が停止されているときに、前記撮像部から前記インジケータ画像の画像情報に基づく映像信号を出力させる
ことを特徴とする請求項１記載の双方向コミュニケーション装置。
【請求項３】
前記相手からの映像信号に基づく画像と前記映像切換部から出力される画像を前記表示部で併せて表示させる表示処理部を設けた
ことを特徴とする請求項１記載の双方向コミュニケーション装置。
【請求項４】
撮像部で撮像を行うことにより得た映像信号を通信部によって相手に送信するとともに、前記通信部で受信した前記相手からの映像信号に基づき表示部で画像表示を行う双方向コミュニケーション装置における状態通知方法であって、
前記映像信号の送信を制御する制御部は、
前記撮像が停止させているか否かを検出する検出工程と、
前記検出工程で、前記撮像が停止されていることを検出しているとき、前記撮像部で撮像を行うことにより得た映像信号に換えて、前記撮像が停止されていることを示すインジケータ画像の画像情報に基づく映像信号を送信する送信工程とを有する
ことを特徴とする状態通知方法。
【発明の詳細な説明】
【技術分野】
【０００１】
この発明は、テレビ会議システム等で用いられる双方向コミュニケーション装置及び状態表示方法に関する。詳しくは、自己の双方向コミュニケーション装置で撮像した映像が送信されないように撮影を停止させたとき、撮像が停止されていることを示すインジケータ画像の映像信号を相手に送信するものである。
【背景技術】
【０００２】
互いに離れた個々の地点で撮像を行い、得られた映像信号をネットワーク経由で相手の地点に送信して表示させることにより、双方向にコミュニケーションを行えるようにしたシステム、例えば自己の撮像画像を送信して相手側に表示させてコミュニケーションを行うテレビ会議システムが普及しつつある。
【０００３】
このようなテレビ会議システムでは、例えば特許文献１のように、会議の開始前に、自分の会議室（第１の会議室）及び相手の会議室（第２の会議室）における会議出席者の個人情報を示すアイコンや、自分の会議室及び相手の会議室に設置された機器のアイコンを表示したグラフィック・ユーザ・インタフェースを用いるものとして、相手との接続が行われると、自己の撮像画像を相手の画面上に表示することが行われている。
【０００４】
【特許文献１】特開２００１−３３１４２９号公報
【発明の開示】
【発明が解決しようとする課題】
【０００５】
ところで、双方向コミュニケーションを行う場合、自己の姿を相手の画面上に表示することなく双方向コミュニケーションを可能とする機能の要求がある。このような機能を設ける場合、撮像画像を単に送信しないものとすると、相手側では、コミュニケーションを行っている相手の画像が表示されないことから、ネットワークや双方向コミュニケーション装置で障害が発生しているか否か等の不必要な確認作業を生じさせてしまうおそれがある。
【０００６】
そこで、この発明では、撮像を停止したことを相手に簡単な構成で容易に通知することができる双方向コミュニケーション装置及び状態通知方法を提供するものである。
【課題を解決するための手段】
【０００７】
この発明に係わる双方向コミュニケーション装置及び状態通知方法は、撮像部で撮像を行うことにより得た映像信号を通信部によって相手に送信するとともに、通信部で受信した相手からの映像信号に基づき表示部で画像表示を行う双方向コミュニケーション装置において、シャッター等を用いて構成された撮像停止部によって撮像が停止されたとき、撮像部で撮像を行うことにより得られる撮像信号に換えて、撮像が停止されていることを示すインジケータ画像の映像信号が送信される。また、インジケータ画像の映像信号は、シャッター等が操作されて撮像が停止されたとき、例えば撮像部から出力される。更に、相手から供給された映像信号に基づく画像と相手に送信した映像信号に基づく画像が表示部で併せて表示される。
【発明の効果】
【０００８】
この発明によれば、撮像を停止したときには、撮像が停止されていることを示すインジケータ画像の映像信号が相手に送信される。このため、相手の画面上には、撮像が停止されていることを示すインジケータ画像が表示されるので、撮像を停止させても、ネットワークや双方向コミュニケーション装置で障害が発生しているか否か等の不必要な確認作業を相手に生じさせることがない。
【発明を実施するための最良の形態】
【０００９】
以下、図を参照しながら、この発明の実施の一形態について説明する。図１は、例えばテレビ会議システムで用いられる双方向コミュニケーション装置１０の正面図である。
【００１０】
双方向コミュニケーション装置１０では、撮像部１１や表示部１２、マイクロホン１３、スピーカ１４、撮像部１１の撮像を停止するための撮像停止部１６等が一体に設けられている。なお、筐体内には、図示せずも、コーデックや通信部等が内蔵されている。
【００１１】
図２は、双方向コミュニケーション装置１０の構成を示している。撮像部１１は、ＣＭＯＳ撮像素子やＣＣＤ撮像素子等を用いて構成されており、撮像画像の映像信号ＳＶcamを生成してＡ／Ｄ変換部２１に供給する。Ａ／Ｄ変換部２１は、映像信号ＳＶcamをディジタルの映像信号ＤＶcamに変換して、映像切換部２２と表示処理部２４のスケーラ／ＯＳＤ（オンスクリーンディスプレイ）部２４１に供給する。
【００１２】
映像切換部２２は、制御部５０から供給された制御信号ＣＴに基づき、Ａ／Ｄ変換部２１から供給された映像信号ＤＶcam、あるいは後述する制御部５０から供給された映像信号ＤＶindのいずれかを選択して映像信号ＤＶtとして映像コーデック２３に供給する。
【００１３】
映像コーデック２３は、映像信号ＤＶtの符号化（圧縮）を行うことで映像符号化送信信号ＮＴvを生成して通信部４０に供給する。また、通信部４０から供給された映像符号化受信信号ＮＲvの復号化（伸長）を行い、得られた映像信号ＤＶrをキャプチャ部２５と表示処理部２４の表示駆動部２４２に供給する。
【００１４】
スケーラ／ＯＳＤ部２４１は、映像信号ＤＶcamに基づく画像や後述する画像メモリ部２６に記憶した静止画、映像信号ＤＶrに基づく画像のサイズを変更する処理や、文字情報や色情報に基づく画像の生成処理を、後述する制御部５０からの制御信号ＣＴに基づいて行う。また、スケーラ／ＯＳＤ部２４１は、生成した画像と映像信号ＤＶcam，ＤＶrに基づく画像と静止画及びサイズを変更した画像等を必要に応じて用いることにより、トップ画面やアドレス帳画面及び種々のメニュー画面、相手の画像を表示してコミュニケーションを行う際のコミュニケーション画面を生成する処理等を、後述する制御部５０からの制御信号ＣＴに基づいて行う。更に、スケーラ／ＯＳＤ部２４１は、生成したメニュー画面等の映像信号ＤＶmを表示駆動部２４２に供給する。
【００１５】
キャプチャ部２５は、映像コーデック２３から供給された映像信号ＤＶrの取り込みを行い、静止画信号ＤＶsを生成して画像メモリ部２６に供給する。画像メモリ部２６は、多数の静止画信号を記憶する容量を有しており、キャプチャ部２５から供給された静止画信号ＤＶsを記憶する。また記憶している静止画信号ＤＶsをスケーラ／ＯＳＤ部２４１に供給する。
【００１６】
入力端子１５は、コンピュータ装置等（図示せず）で生成した画像を入力するためのものである。この入力端子１５にコンピュータ装置等から入力された映像信号ＤＶpは、入力画像処理部２７と表示駆動部２４２に供給する。
【００１７】
入力画像処理部２７は通信部４０と接続されており、入力端子１５から供給された映像信号ＤＶpを通信部４０に供給する。また、入力画像処理部２７は、入力端子１５から供給された映像信号ＤＶpや通信部４０から供給された映像信号ＤＶqに基づいて新たな映像信号ＤＶnを生成して、表示駆動部２４２に供給する
表示駆動部２４２は、映像コーデック２３から供給された映像信号ＤＶrやスケーラ／ＯＳＤ部２４１から供給された映像信号ＤＶm、入力端子１５から供給された映像信号ＤＶp、入力画像処理部２７から供給された映像信号ＤＶnを、制御部５０から供給された制御信号ＣＴに基づき１あるいは複数選択して、選択した映像信号に基づき駆動信号ＤＲを生成して表示部１２に供給する。表示部１２は、液晶表示素子やプラズマディスプレイパネルあるいは陰極線管等を用いて構成されており、供給された駆動信号ＤＲに基づき表示駆動動作を行い、制御部５０からの指示に基づいた画像を表示する。
【００１８】
マイクロホン１３は、生成した音声信号ＳＡmicをＡ／Ｄ変換部３１に供給する。Ａ／Ｄ変換部３１は、音声信号ＳＡmicをディジタルの音声信号ＤＡmicに変換して、エコーキャンセラ３２を経て音声コーデック３３に供給する。音声コーデック３３は、供給された音声信号ＤＡmicを符号化（圧縮）を行うことで音声符号化送信信号ＮＴaを生成して通信部４０に供給する。また、通信部４０から供給された音声符号化受信信号ＮＲaの復号化（伸長）を行い、得られた音声信号ＤＡrを、エコーキャンセラ３２を介してＤ／Ａ変換部３４に供給する。Ｄ／Ａ変換部３４は、供給された音声信号ＤＡrをアナログの音声信号ＳＡoutに変換してスピーカ１４に供給する。スピーカ１４は、音声信号ＳＡoutに基づいて音声出力を行う。
【００１９】
通信部４０は、ネットワーク９０と接続されており、映像コーデック２３から供給された映像符号化送信信号ＮＴvと、音声コーデック３３から供給された音声符号化送信信号ＮＴaと、入力画像処理部２７から供給された映像信号ＤＶpを、所望の相手の双方向コミュニケーション装置に供給する。また自己宛の映像符号化受信信号ＮＲvを映像コーデック２３、自己宛の音声符号化受信信号ＮＲaを音声コーデック３３に供給する。また、受信した映像信号ＤＶqを入力画像処理部２７に供給する。
【００２０】
制御部５０には、撮像停止部１６と操作入力部５１とメモリ部５２及び外部メモリインタフェース部５３が接続されている。撮像停止部１６は、ユーザの操作に応じて撮像を行うか停止するかのいずれかの状態を選択するものである。また、撮像停止部１６は、いずれの状態であるかを示す撮像検出信号ＰＤを生成して制御部５０に供給する。例えば、撮像停止部１６は、撮像部１１の撮像レンズを隠すシャッター（レンズカバー）と、このシャッターと連動して駆動されるシャッタースイッチで構成する。ここで、シャッターが撮像レンズを隠すようにあるいは撮像レンズを露出するようにユーザによって駆動されたとき、シャッタースイッチでは、シャッターで撮像レンズが隠されているか否かを示す信号を撮像検出信号ＰＤとして生成して制御部５０に供給する。
【００２１】
操作入力部５１は、ユーザ操作に応じた操作信号ＰＳを生成するものであり、キーボードやポインティングデバイス（例えばマウス）、タッチパネル等を用いて構成する。メモリ部５２は、書換え可能な不揮発性メモリで構成されており、会議を行う相手に関する相手先情報や、撮像が停止されていることを示すインジケータ画像の画像情報Ｍindを記憶する。
【００２２】
外部メモリインタフェース部５３は、メモリカード等の記録メディア（図示せず）を双方向コミュニケーション装置１０に接続可能とするためのものである。この記録メディアに、相手先情報や静止画を登録しておけば、記録メディアを外部メモリインタフェース部５３に装着することで、メモリ部５２に登録されていないプライベートな相手と会議を行うことが可能となる。また、プライベートな静止画を送信することも可能となる。更に、記録メディアに新たなプログラムを記憶しておくことで、双方向コミュニケーション装置１０の機能の更新や拡張も可能となる。
【００２３】
制御部５０は、操作入力部５１で生成された操作信号ＰＳやメモリ部５２に登録されている相手先情報、外部メモリインタフェース部５３に装着された記録メディアに記憶されている情報等を用いて制御信号ＣＴを生成して、この制御信号ＣＴによって各部を制御することで所望の相手とテレビ会議を可能とする。
【００２４】
また、制御部５０は、撮像検出信号ＰＤによって、撮像動作が停止されたことを検出したとき、撮像が停止されていることを示すインジケータ画像の画像情報Ｍindをメモリ部５２から読み出して、所望のフォーマットの映像信号ＤＶindに変換したのち映像切換部２２とスケーラ／ＯＳＤ２４１に供給する。更に、制御部５０は、映像切換部２２の動作を制御して、撮像が停止されているときには、Ａ／Ｄ変換部２１から供給された撮像画像の映像信号ＤＶcamに換えて、インジケータ画像の映像信号ＤＶindを映像コーデック２３に供給させる。また、制御部５０は、操作信号ＰＳに基づいて表示駆動部２４２の動作を制御し、相手の画像と送信しているインジケータ画像を表示部１２の画面上に表示することも可能とする。
【００２５】
また、制御部５０は、メモリ部５２や外部メモリインタフェース部５３に装着した記録メディアに登録されている相手先情報、及び画像メモリ部２６に記憶した静止画を用いるものとし、更に、表示処理部２４のスケーラ／ＯＳＤ部２４１や表示駆動部２４２の動作を制御して、表示部１２にグラフィック・ユーザ・インタフェース画面を表示させて、操作入力部５１から供給された操作信号ＰＳに基づき、双方向コミュニケーション装置１０の動作切り換えや種々の設定等を可能とすることで、グラフィック・ユーザ・インタフェースを構成する。
【００２６】
次に、双方向コミュニケーション装置１０の動作について説明する。図３は双方向コミュニケーションを行っている２つの装置の画像表示動作を説明するための図である。
【００２７】
双方向コミュニケーション装置１０-1を使用しているユーザが自己の画像を送信する場合、ユーザは、図３Ａに示すように、撮像停止部１６のシャッターを、撮像レンズ１１１を覆わない位置（OPEN位置）に設定する。双方向コミュニケーション装置１０-1の制御部５０は、撮像検出信号ＰＤによって撮像が停止されていないことが示されていることから、映像切換部２２を制御して映像信号ＤＶcamを映像信号ＤＶtとして映像コーデック２３に供給し、撮像部１１による撮像画像を、ネットワークを介して双方向コミュニケーション装置１０-2に供給する。
【００２８】
双方向コミュニケーション装置１０-2は、双方向コミュニケーション装置１０-1からの信号を受信して、映像コーデック２３で得られた映像信号ＤＶrを表示処理部２４に供給する。このため、図３Ｂに示すように、双方向コミュニケーション装置１０-2の表示部１２の画面上に双方向コミュニケーション装置１０-1の撮像部１１による撮像画像が表示される。
【００２９】
同様に、双方向コミュニケーション装置１０-2の撮像部１１による撮像画像は、ネットワークを介して双方向コミュニケーション装置１０-1に供給されて、図３Ａに示すように、双方向コミュニケーション装置１０-1の表示部１２の画面上に表示される。
【００３０】
双方向コミュニケーション装置１０-1を使用しているユーザが自己の画像を送信したくない場合、ユーザは、図３Ｃに示すように、撮像停止部１６のシャッター１６aを、撮像レンズを覆う位置（CLOSE位置）に設定する。双方向コミュニケーション装置１０-1の制御部５０は、撮像検出信号ＰＤによって撮像が停止されていることを検出したとき、メモリ部５２からインジケータ画像の画像情報Ｍindを読み出して所望のフォーマットの映像信号ＤＶindに変換して映像切換部２２に供給する。また、制御部５０は、映像切換部２２を制御して映像信号ＤＶindを映像信号ＤＶtとして映像コーデック２３に供給し、ネットワークを介して双方向コミュニケーション装置１０-2にインジケータ画像を供給する。
【００３１】
双方向コミュニケーション装置１０-2は、双方向コミュニケーション装置１０-1からの信号を受信して、映像コーデック２３で得られた映像信号ＤＶrを表示処理部２４に供給する。このため、図３Ｄに示すように、双方向コミュニケーション装置１０-2の表示部１２の画面上には、双方向コミュニケーション装置１０-1で撮像が停止されていることを示すインジケータ画像が表示される。
【００３２】
また、双方向コミュニケーション装置１０-2では、上述のように、撮像部１１による撮像画像を、ネットワークを介して双方向コミュニケーション装置１０-1に供給するため、双方向コミュニケーション装置１０-1の表示部１２には、図３Ｃに示すように、双方向コミュニケーション装置１０-2の撮像部１１による撮像画像が表示されることとなる。
【００３３】
このように、撮像を停止させたときには、相手の双方向コミュニケーション装置の画面上に撮像が停止されていることを示すインジケータ画像が表示されるので、相手の画像が表示されない原因を相手側で容易に把握させることができ、ネットワークや双方向コミュニケーション装置で障害が発生しているか否か等の不必要な確認作業を生じさせてしまうおそれがない。
【００３４】
ところで、図３に示す画像表示動作では、相手から供給された画像のみを表示するものとしたが、相手から供給された画像と相手に送信している画像の両方を併せて表示すれば、自己の双方向コミュニケーション装置についての動作状態を容易に確認することもできる。
【００３５】
図４は、他の画像表示動作として、相手から供給された画像だけでなく、相手に送信している画像も併せて表示する場合を説明するための図である。
【００３６】
双方向コミュニケーション装置１０-1の撮像部１１による撮像画像は、ネットワークを介して双方向コミュニケーション装置１０-2に供給される。双方向コミュニケーション装置１０-2の表示処理部２４は、受信した映像信号ＤＶrと双方向コミュニケーション装置１０-2の撮像部１１で生成された映像信号ＤＶcamを用いて駆動信号ＤＲを生成し、図４Ｂに示すように、双方向コミュニケーション装置１０-1の撮像部１１による撮像画像と、双方向コミュニケーション装置１０-2の撮像部１１による撮像画像を１つの画面上に表示する。
【００３７】
また、双方向コミュニケーション装置１０-2の撮像部１１による撮像画像は、ネットワークを介して双方向コミュニケーション装置１０-1に供給される。双方向コミュニケーション装置１０-1の表示処理部２４は、受信した映像信号ＤＶrと双方向コミュニケーション装置１０-1の撮像部１１で生成された映像信号ＤＶcamを用いて駆動信号ＤＲを生成し、図４Ａに示すように、双方向コミュニケーション装置１０-1の撮像部１１による撮像画像と、双方向コミュニケーション装置１０-2の撮像部１１による撮像画像を１つの画面上に表示する。
【００３８】
ここで、双方向コミュニケーション装置１０-1を使用しているユーザが自己の画像を送信したくない場合には、ユーザは、図４Ｃに示すように、撮像停止部１６のシャッター１６aを、撮像レンズを覆う位置（CLOSE位置）に設定する。このように撮像停止部１６によって撮像を停止させた場合、撮像が停止されていることを示すインジケータ画像の映像信号ＤＶindが双方向コミュニケーション装置１０-2に供給される。双方向コミュニケーション装置１０-2の表示処理部２４は、受信した映像信号ＤＶrと双方向コミュニケーション装置１０-2の撮像部１１で生成された映像信号ＤＶcamを用いて駆動信号ＤＲを生成し、図４Ｄに示すように、双方向コミュニケーション装置１０-1からの撮像が停止されていることを示すインジケータ画像と、双方向コミュニケーション装置１０-2の撮像部１１による撮像画像を１つの画面上に表示する。
【００３９】
また、双方向コミュニケーション装置１０-1の表示処理部２４は、受信した映像信号ＤＶrと送信しているインジケータ画像の映像信号ＤＶindを用いて駆動信号ＤＲを生成し、図４Ｃに示すように、双方向コミュニケーション装置１０-2の撮像部１１による撮像画像と、自己の双方向コミュニケーション装置１０-1で撮像が停止されていることを示すインジケータ画像を１つの画面上に表示する。
【００４０】
このように、送信している映像信号に基づく画像も、自己の表示部の画面上に表示すれば、自己の双方向コミュニケーション装置１０-1で撮像が停止されているか否かや、撮像が停止されていることを相手に通知できているか容易に確認することができる。
【００４１】
また、上述の形態では、撮像検出信号ＰＤを制御部５０に供給して、制御部５０で出力する画像の切り換えを行うものである。このため、このような双方向コミュニケーション装置では、撮像部１１として汎用のビデオカメラを用いることができる。
【００４２】
ところで、制御部５０で出力する画像の切り換えを行うものとした場合、制御部５０で画像サイズの変換やフォーマット変換等の種々の制御を行うものとすると、制御部５０の負荷が大きくなってしまう。
【００４３】
そこで、制御部５０の負荷を大きくすることなく、また、双方向コミュニケーション装置の構成を複雑なものとすることなく、撮像が停止されていることを相手に通知できる双方向コミュニケーション装置について図５を用いて説明する。なお、図５において、図２の対応する部分は、同一符号を付し、詳細な説明は省略する。
【００４４】
撮像部１１aは、撮像を停止したとき、撮像画の映像信号に換えて、撮像が停止されていることを示すインジケータ画像の映像信号を出力する。
【００４５】
図６は、撮像部１１aの概略構成を示している。撮像レンズ１１１を介して入射された光は、撮像素子１１２の撮像面に結像される。撮像素子１１２は、撮像信号を生成して、撮像信号処理部１１３に供給する。撮像信号処理部１１３は、撮像信号に対してプロセス処理等を行い、得られた映像信号ＳＶcamを映像切換部１１５に供給する。
【００４６】
インジケータ画像メモリ部１１４は、メモリ部５２に代わりインジケータ画像の画像情報Ｍindを記憶しており、後述する制御部１１６からの制御信号ＣＲに基づき、画像情報Ｍindを読み出して映像切換部１１５に供給する。
【００４７】
映像切換部１１５には、撮像信号処理部１１３から供給された映像信号ＳＶcam、あるいはインジケータ画像メモリ部１１４から読み出した画像情報Ｍindに基づいて生成した映像信号ＳＶindのいずれかを切り換えて出力する。
【００４８】
撮像部側の制御部１１６は、撮像素子１１２における撮像信号の生成や、撮像信号処理部１１３の信号処理動作を制御信号ＣＲによって制御する。また、撮像停止部１６からの撮像検出信号ＰＤに基づいた制御信号ＣＲを生成して、インジケータ画像メモリ部１１４からの信号読み出しや映像切換部１１５の切り換え動作等を制御する。
【００４９】
このように、撮像部１１aは、撮像画の映像信号ＳＶcamと撮像が停止されていることを示すインジケータ画像の映像信号ＳＶindを撮像停止部１６からの撮像検出信号ＰＤに基づき切り換えて出力する。このため、双方向コミュニケーション装置１０aでは、双方向コミュニケーション装置１０に設けられている映像信号ＤＶindを切り換えて出力するための構成が不要となる。すなわち、映像信号ＤＶindを切り換えて出力する機能を有していない従来の双方向コミュニケーション装置を用いる場合であっても、この撮像部１１aを接続することで、撮像が停止されていることを相手にインジケータ画像を用いて通知できる。また、メモリ部５２には、撮像が停止されていることを示すインジケータ画像の画像情報Ｍindを記憶させておく必要がない。更に、制御部５０は、メモリ部５２に記憶されている画像情報Ｍindを読み出して所望のフォーマットに変換する処理も不要となるので、制御部５０の負荷を軽減できる。
【００５０】
なお、上述の形態では、撮像部の撮像レンズを覆うシャッターを用いて撮像停止部を構成したことから、撮像が停止されていることを双方向コミュニケーション装置の外観で判別できる。
【００５１】
しかし、撮像停止部１６は、撮像部の撮像レンズを覆うシャッターを用いて構成する場合に限られるものではない。例えば、撮像停止部１６として操作入力部５１を用いるものとし、操作入力部１５から撮像の停止を示す操作信号が供給されたとき、映像切換部２２から撮像の停止を示すインジケータ画像の映像信号ＳＶindを出力させることもできる。また、映像切換部が撮像部に設けられているときには、制御部５０で撮像部１１aの動作を制御して、撮像の停止を示すインジケータ画像の映像信号ＳＶindを出力させる。
【００５２】
このように撮像レンズを覆うシャッターを用いない場合、撮像が停止されていることを双方向コミュニケーション装置の外観から判別することができない。しかし、図４に示すように、相手の画像だけでなく、自己の双方向コミュニケーション装置が送信している画像を合わせて表示すれば、撮像を停止したときには、自己の双方向コミュニケーション装置の画面上に、インジケータ画像が表示されるので、撮像が停止されていることを画面上で確認することができる。また、シャッターを用いない場合は機構部品等が不要となり、双方向コミュニケーション装置を安価に提供できる。
【図面の簡単な説明】
【００５３】
【図１】双方向コミュニケーション装置の外観を示す図である。
【図２】双方向コミュニケーション装置の構成を示す図である。
【図３】双方向コミュニケーション装置の画像表示動作を説明するための図である。
【図４】双方向コミュニケーション装置の他の画像表示動作を説明するための図である。
【図５】双方向コミュニケーション装置の他の構成を示す図である。
【図６】撮像部の概略構成を示す図である。
【符号の説明】
【００５４】
１０，１０-1，１０-2，１０a・・・双方向コミュニケーション装置、１１，１１a・・・撮像部、１２・・・表示部、１３・・・マイクロホン、１４・・・スピーカ、１５・・・入力端子、１６・・・撮像停止部、２１，３１・・・Ａ／Ｄ変換部、２２，１１５・・・映像切換部、２３・・・映像コーデック、２４・・・表示処理部、２５・・・キャプチャ部、２６・・・画像メモリ部、２７・・・入力画像処理部、３２・・・エコーキャンセラ、３３・・・音声コーデック、３４・・・Ｄ／Ａ変換部、４０・・・通信部、５０、１１６・・・制御部、５１・・・操作入力部、５２・・・メモリ部、５３・・・外部メモリインタフェース部、９０・・・ネットワーク、１１１・・・撮像レンズ、１１２・・・撮像素子、１１３・・・撮像信号処理部、１１４・・・インジケータ画像メモリ部、２４１・・・スケーラ／ＯＳＤ部、２４２・・・表示駆動部
【図１】
2007013693.tif 000003
【図２】
2007013693.tif 000004
【図３】
2007013693.tif 000005
【図４】
2007013693.tif 000006
【図５】
2007013693.tif 000007
【図６】
2007013693.tif 000008